(57)【特許請求の範囲】
【請求項１】
１または複数単位の音声情報が記録された音声記録媒体、１または複数単位の音付または音無しの映像情報が記録された映像記録媒体、０または１以上の単位の音声情報と、０または１以上の単位の音付または音無しの映像情報が任意の組み合わせにより記録された音声・映像兼用記録媒体の再生が可能で音声と映像の外部出力を行ったり、再生中の再生情報に付属した属性情報を読み取って出力する再生手段と、
再生対象の記録媒体と再生情報の種別を判別する判別手段と、
再生中の再生情報の属性情報の全部または一部を表示可能な表示手段と、
再生手段の映像出力にミュートを掛けるミュート手段と、
車両が停車中か否か検出する検出手段と、
判別手段が音声記録媒体と判別したとき、車両が停車中か否かに拘わらず表示手段に再生情報の属性情報を表示させ、判別手段が映像記録媒体と判別したとき、車両が停車中であればミュート手段をミュートオフとし表示手段に再生情報の属性情報を表示させ、停車中でなければミュート手段をミュートオンとし、表示手段に映像を強制的にオフしている旨を示すメッセージを表示させ、判別手段が音声・映像兼用記録媒体の音声情報と判別したとき、車両が停車中か否かに拘わらず表示手段に再生情報の属性情報を表示させ、判別手段が音声・映像兼用記録媒体の音付または音無しの映像情報と判別したとき、車両が停車中であればミュート手段をミュートオフとし表示手段に再生情報の属性情報を表示させ、停車中でなければミュート手段をミュートオンとし、表示手段に映像が強制的にオフしている旨を示すメッセージを表示させる制御手段と、
を備えたことを特徴とする車載用再生装置。
【発明の詳細な説明】
【技術分野】
【０００１】
本発明は車載用再生装置に係り、とくに音声や映像が記録されたＣＤ−ＤＡ、ＤＶＤビデオ等を再生可能な車載用再生装置に関する。
【背景技術】
【０００２】
車載用ＡＶプレーヤでは、１または複数単位の映像データ（音付き映像データを含む）が記録された映像記録媒体であるＤＶＤビデオ、ビデオＣＤ（ＶＣＤ）、１または複数単位の音声データが記録された音声記録媒体であるＣＤ−ＤＡ、音声データファイル（ＭＰ３、ＷＭＡ等）を記録したＣＤ−Ｒ、ＤＶＤ−Ｒ等のデータディスク種々の種類の記録媒体を再生可能である。但し、走行中に映像用の記録媒体を再生する場合、安全の為に映像出力を停止させるようになっている（特許文献１参照）。
【０００３】
図１に従来の車載用ＡＶプレーヤの本体構成例を示す。１は車載用ＡＶプレーヤ本体、２と３は車両に搭載されたアンプとスピーカ、４はモニタ装置である。５は車両に装備されたパーキングブレーキセンサであり、パーキングブレーキが引かれているとき、Ｈ、解除されているときＬとなるセンサ信号を出力する。
車載用ＡＶプレーヤ本体１の内、１０はディスク再生部であり、ＣＤ−ＤＡ、ビデオＣＤ、ＤＶＤビデオ等の各種光ディスクからディスクの種類情報を含む管理情報を読み取ったり、音声記録光ディスクに記録された音声データを再生してアナログ音声信号を外部のアンプ２へ出力したり（ＣＤ−ＤＡ、音楽データファイルの記録されたデータディスクの場合）、映像記録光ディスクに記録された映像データ（または音付き映像データ）を再生してアナログ映像信号（アナログ音声信号とアナログ映像信号）を外部のモニタ装置４（モニタ装置４とアンプ２）へ外部出力したりする（ＤＶＤビデオ、ビデオＣＤ）。このディスク再生部１０は音声データ再生中に該音声データに付属したタイムコード、トラックナンバ等の属性情報を読み取る。
【０００４】
１１はローディング部であり、光ディスクが挿入されると、ディスク再生部１０へローディングして装てんさせ、イジェクト指令を受けるとディスク再生部１０から光ディスクを取り出し外部へ排出する。１２はキー操作部であり、ＰＬＡＹ、ＳＴＯＰ、シーク、イジェクト等の各種キー操作を行うキー操作部、１３は本体表示部であり、音声記録光ディスクの再生時に、トラックナンバ（ＣＤ−ＤＡの場合）またはファイルナンバ（データディスクの場合）と、演奏経過時間を表示する。１４はディスク再生部１０の映像出力側に設けられたミュート部であり、映像記録光ディスクの再生時、停車中はミュートオフ、走行中はミュートオンとする。
【０００５】
１５は制御部であり、本体１に光ディスクが挿入されると、ローディング部１１を制御し、光ディスクをローディングさせてディスク再生部１０に装てんさせ、ディスク再生部１０に管理情報を読み取らせて入力する。そして、管理情報を参照しながら、キー操作部１２でのキー操作に応じてディスク再生部１０を制御し、装てん済の光ディスクの再生、再生停止、シークをさせる。また、制御部１５はイジェクト操作がされると、ローディング部１１を制御し、光ディスクをアンローディングさせて外部に排出させる。また、制御部１５は光ディスクの種類と停車中か否かの条件に応じて本体表示部１３に対する表示制御、ミュート部１４に対するミュートオン／オフ制御を行う。パーキングブレーキセンサ５のセンサ出力は制御部１５に入力されてミュートオン／オフ制御に使用される。
【０００６】
図２は光ディスク装てん後、制御部１５により実行される表示制御、ミュートオン／オフ制御を示すフローチャート、図３は本体表示部１３の表示例を示す説明図であり、以下、これらの図を参照して制御部１５による表示制御とミュート制御を説明する。
ディスク再生部１１に或る光ディスクが装てんされた状態になり、ディスク再生部１０から管理情報が入力されると、制御部１５は図２の処理を開始し、管理情報を参照して今回の再生対象光ディスクの種類を判別する（ステップＳ１０）。音声記録光ディスクであるＣＤ−ＤＡまたはＭＰ３、ＷＭＡ等の音楽データファイルの記録されたデータディスクであれば、車両が停車中か否かに拘わらず本体表示部１３は通常の表示制御を行い、例えば音声データの再生中にディスク再生部１０から入力した再生データの属性情報に基づき再生中のトラックナンバ（ＣＤ−ＤＡの場合）またはファイルナンバ（データディスクの場合）と演奏経過時間（○○分○○秒）を表示させる（ステップＳ１１。図３（１）、（２）参照）。光ディスクが排出されれば処理を終える（ステップＳ１２でＹＥＳ）。
【０００７】
再生対象が映像記録光ディスクであるＤＶＤビデオまたはビデオＣＤ等であれば、更にパーキングブレーキセンサ５のセンサ出力をチェックし、Ｈの停車中となっていればモニタ表示が可能なので本体表示部１３には通常の表示制御を行い、例えば映像データの再生中にディスク再生部１０から入力した再生データの属性情報に基づき再生中のタイトルのタイトルナンバ（ＤＶＤビデオの場合）と再生経過時間（○○分○○秒）を表示させる（ステップＳ１４）。そして、ミュート部１４に対しミュートオフ制御をして再生映像をモニタ装置４に表示させる（ステップＳ１５）。その後、運転を開始したためパーキングブレーキセンサ５のセンサ出力がＬとなったとき、制御部１５は安全に鑑みモニタ表示を停止させるため、本体表示部１３に「モニタＯＦＦ中」と表示して映像記録光ディスクの再生中だがモニタ表示をＯＦＦしている旨ユーザに告知し（ステップＳ１７。図３（３）参照）、ミュート部１４に対しミュートオン制御をしてモニタ装置４の表示を停止させる（ステップＳ１８）。ユーザは本体表示部１３の表示からモニタ表示が強制的にＯＦＦされていることが判る。
【０００８】
けれども、近年は、ＭＰ３、ＷＭＡ等の音声データファイルに加えて、ＭＰＥＧ、ＪＰＥＧ、ＷＭＶ等の映像データファイルが同一のデータディスク中に混在した光ディスクの再生も可能としようとしたとき、再生対象ディスクがデータディスクの場合に、車両が停車中でないとき一律で「モニタＯＦＦ中」の表示を行ってしまうと、本体表示部１３の表示文字数が少ないときにＭＰ３、ＷＭＡ等の音声データファイル再生時のファイルナンバ、演奏経過時間などの通常表示が出来なくなってしまい不便である。また、モニタ装置を使用せず音声データだけ楽しむユーザにとっては、「モニタＯＦＦ中」の表示に煩わしさを感じてしまう欠点があった。
【０００９】
【特許文献１】特開２０００−３３５３２０号公報
【発明の開示】
【発明が解決しようとする課題】
【００１０】
本発明は上記した従来技術の問題に鑑み、音声データと映像データが混在する記録媒体を停車中でないときに再生する場合に、本体表示部に再生データに応じた適切な表示をさせることのできる車載用再生装置を提供することをその目的とする。
【課題を解決するための手段】
【００１１】
請求項１の車載用再生装置は、１または複数単位の音声情報が記録された音声記録媒体、１または複数単位の音付または音無しの映像情報が記録された映像記録媒体、０または１以上の単位の音声情報と、０または１以上の単位の音付または音無しの映像情報が任意の組み合わせにより記録された音声・映像兼用記録媒体の再生が可能で音声と映像の外部出力を行ったり、再生中の再生情報に付属した属性情報を読み取って出力する再生手段と、再生対象の記録媒体と再生情報の種別を判別する判別手段と、再生中の再生情報の属性情報の全部または一部を表示可能な表示手段と、再生手段の映像出力にミュートを掛けるミュート手段と、車両が停車中か否か検出する検出手段と、判別手段が音声記録媒体と判別したとき、車両が停車中か否かに拘わらず表示手段に再生情報の属性情報を表示させ、判別手段が映像記録媒体と判別したとき、車両が停車中であればミュート手段をミュートオフとし表示手段に再生情報の属性情報を表示させ、停車中でなければミュート手段をミュートオンとし、表示手段に映像を強制的にオフしている旨を示すメッセージを表示させ、判別手段が音声・映像兼用記録媒体の音声情報と判別したとき、車両が停車中か否かに拘わらず表示手段に再生情報の属性情報を表示させ、判別手段が音声・映像兼用記録媒体の音付または音無しの映像情報と判別したとき、車両が停車中であればミュート手段をミュートオフとし表示手段に再生情報の属性情報を表示させ、停車中でなければミュート手段をミュートオンとし、表示手段に映像が強制的にオフしている旨を示すメッセージを表示させる制御手段と、を備えたことを特徴としている。
【発明の効果】
【００１２】
本発明の車載用再生装置によれば、音声記録媒体を再生するときと音声と映像が混在する記録媒体中の音声情報を再生するとき、停車中か否かに拘わらず再生情報に付属する属性情報の全部または一部が本体表示部に表示されるので、ユーザは音声情報再生時に有効な情報を視認でき便利であり、また停車中でないときでも映像を強制的にオフしている旨のメッセージは本体表示部に表示されないので、モニタ装置を使用せず音声情報だけ楽しむユーザが不必要な情報表示に煩わしさを感じることもない。一方、映像記録媒体を再生するときと音声と映像が混在する記録媒体中の音付または音無し映像情報を再生するとき、停車中でなければ映像出力にミュートを掛け、本体表示部に映像表示を強制的にオフしている旨表示されるので、ユーザはモニタ表示がオフしている理由を容易に知ることが出来る。
【発明を実施するための最良の形態】
【００１３】
ディスク再生部は音声記録光ディスク（ＣＤ−ＤＡ等）、映像記録光ディスク（ＤＶＤビデオ、ビデオＣＤ、ＤＶＤオーディオ等）のほか、ＭＰ３、ＷＭＡ（Windows Media  Audio。なお、Windows は登録商標である）、ＭＰＥＧ４オーディオ（Advanced Audio Coding ）等の音声データファイルとＪＰＥＧ、ＭＰＥＧ、ＷＭＶ（Windows Media Video ）、ＡＶＩ（Audio Video Interleaving) 等の映像データファイル（音付き映像データを含む）が１枚中に混在するデータディスクの再生も可能であり、音声データファイル再生時は再生したアナログ音声信号を出力し、映像データファイル再生時は音付きであれば再生したアナログ音声信号とアナログ映像信号を出力し、音無しであれば再生したアナログ映像信号を出力する。制御部は、再生対象が音声記録光ディスクか、またはデータディスク中の音声データファイルのとき、停車中か否かに拘わらず、本体表示部を通常表示状態とし、再生データに付属するトラックナンバまたはファイルナンバと、演奏経過時間を本体表示部に表示させる。一方、再生対象が映像記録光ディスクか、またはデータディスク中の映像データファイルのとき、停車中であれば本体表示部を通常表示状態とし、再生データに付属したタイムコード等を表示させるとともに映像出力ミュートをオフして再生映像をモニタ表示させ、停車中でなければ本体表示部に「モニタＯＦＦ中」を表示させ、映像出力ミュートをオンし、モニタ表示を停止させる。
【実施例１】
【００１４】
図４は本発明の一つの実施例に係る車載用ＡＶプレーヤ本体の構成を示すブロック図である。図１と同一の構成部分には同一の符号を付してある。
車載用ＡＶプレーヤ本体１Ａの内、１０Ａはディスク再生部であり、音声記録媒体としてのＣＤ−ＤＡ、映像記録媒体としてのビデオＣＤ、ＤＶＤビデオ、ＤＶＤオーディオ、１または複数単位のＭＰ３、ＷＭＡ、ＭＰＥＧ４オーディオ等の音声データの記録されたデータディスクに加えて、１または複数単位の音声データと１または複数単位のＪＰＥＧ、ＭＰＥＧ、ＷＭＶ（Windows Media Video）、ＡＶＩ（Audio Video Interleaving) 等の映像データ（音付き映像データを含む）が１枚に混在して記録されたデータディスク、１または複数単位の映像データが記録されたデータディスクの再生が可能である。
【００１５】
１５Ａは制御部であり、本体１に光ディスクが挿入されると、ローディング部１１を制御し、光ディスクをローディングさせてディスク再生部１０Ａに装てんさせ、ディスク再生部１０Ａに管理情報を読み取らせて入力する。そして、管理情報を参照しながら、キー操作部１２でのキー操作に応じてディスク再生部１０Ａを制御し、装てん済の光ディスクの再生、再生停止、シークをさせる。また、制御部１５Ａはイジェクト操作がされると、ローディング部１１を制御し、光ディスクをアンローディングさせて外部に排出させる。また、制御部１５Ａは光ディスクの種類と停車中か否かの条件に応じて本体表示部１３に対する表示制御、ミュート部１４に対するミュートオン／オフ制御を行う。パーキングブレーキセンサ５のセンサ出力は制御部１５Ａに入力されてミュートオン／オフ制御に使用される。
車載用ＡＶプレーヤ本体１Ａの他の構成部分は図１と全く同様に構成されている。
【００１６】
図５、図６は光ディスク装てん後、制御部１５Ａにより実行される表示制御、ミュートオン／オフ制御を示すフローチャートであり、以下、これらの図を参照して制御部１５Ａによる表示制御とミュート制御を説明する。
ディスク再生部１０Ａに或る光ディスクが装てんされた状態になり、ディスク再生部１０Ａから管理情報が入力されると、制御部１５Ａは図５、図６の処理を開始し、管理情報を参照して今回の再生対象光ディスクの種類を判別する（図５のステップＳ１０）。音声記録光ディスクであるＣＤ−ＤＡ等であれば、車両が停車中か否かに拘わらず本体表示部１３に対し通常の表示制御を行い、例えば音声データの再生中にディスク再生部１０Ａから入力した再生データの属性情報に基づき再生中のトラックナンバ（ＣＤ−ＤＡの場合）と演奏経過時間（○○分○○秒）を表示させる（ステップＳ１１。図３の（１）参照）。光ディスクが排出されれば処理を終える（ステップＳ１２でＹＥＳ）。
【００１７】
再生対象が映像記録光ディスクであるＤＶＤビデオ、ビデオＣＤ、ＤＶＤオーディオ等であれば、更にパーキングブレーキセンサ５のセンサ出力をチェックし、Ｈの停車中となっていればモニタ表示が可能なので本体表示部１３には通常の表示制御を行い、例えば映像データの再生中にディスク再生部１０から入力した再生データの属性情報に基づき再生中のタイトルのタイトルナンバ（ＤＶＤビデオの場合）と再生経過時間（○○分○○秒）を表示させる（ステップＳ１３、Ｓ１４）。そして、ミュート部１４に対しミュートオフ制御をして再生映像をモニタ装置４に表示させる（ステップＳ１５）。その後、運転を開始したためパーキングブレーキセンサ５のセンサ出力がＬとなったとき、制御部１５は安全に鑑みモニタ表示を停止させるため、本体表示部１３に「モニタＯＦＦ中」と表示して映像記録光ディスクの再生中だがモニタ表示をＯＦＦしている旨ユーザに告知し（ステップＳ１７。図３（３）参照）、ミュート部１４に対しミュートオン制御をしてモニタ装置４の表示を停止させる（ステップＳ１８）。ユーザは本体表示部１３の表示からモニタ表示が強制的にＯＦＦされていることが判る。光ディスクが排出されれば処理を終える（ステップＳ１６でＹＥＳ）。
【００１８】
再生対象がデータディスクの場合、或るデータファイルの再生が始まった処で、再生ファイルの種類をチェックし（図６のステップＳ２０、Ｓ２１）、ＭＰ３、ＷＭＡ、ＭＰＥＧ４オーディオ等の音楽データファイルであれば、車両が停車中か否かに拘わらず本体表示部１３は通常の表示制御を行い、例えば音声データの再生中にディスク再生部１０Ａから入力した再生データの属性情報に基づき再生中のファイルナンバと演奏経過時間（○○分○○秒）を表示させる（ステップＳ２２。図３（２）参照）。今回のデータファイルの再生が終れば、ステップＳ２０に戻って、次のデータファイルの再生が始まるか、ディスクが排出されるのを待つ（ステップＳ２３でＹＥＳ、Ｓ２０、Ｓ２４）。
【００１９】
次のデータファイルの再生が始まると、再び、再生ファイルの種類をチェックし（ステップＳ２０、Ｓ２１）、ＪＰＥＧ、ＭＰＥＧ、ＷＭＶ、ＡＶＩ等の映像データファイルであれば、更にパーキングブレーキセンサ５のセンサ出力をチェックし（ステップＳ２５）、Ｈの停車中となっていればモニタ表示が可能なので本体表示部１３には通常の表示制御を行い、例えば映像データの再生中にディスク再生部１０Ａから入力した再生データの属性情報に基づき再生中のファイルナンバと再生経過時間（○○分○○秒）を表示させる（ステップＳ２６）。そして、ミュート部１４に対しミュートオフ制御をして再生映像をモニタ装置４に表示させる（ステップＳ２７）。そして、今回のデータファイルの再生が終ったかチェックし（ステップＳ２８）、ＮＯであればステップＳ２５に戻る。その後、運転を開始したためパーキングブレーキセンサ５のセンサ出力がＬとなったとき、制御部１５Ａは安全に鑑みモニタ表示を停止させるため、本体表示部１３に「モニタＯＦＦ中」と表示して映像記録光ディスクの再生中だがモニタ表示をＯＦＦしている旨ユーザに告知し（ステップＳ２５でＮＯ、Ｓ２９。図３（３）参照）、ミュート部１４に対しミュートオン制御をしてモニタ装置４の表示を停止させる（ステップＳ３０）。ユーザは本体表示部１３の表示からモニタ表示が強制的にＯＦＦされていることが判る。
今回のデータファイルの再生が終れば、ステップＳ２０に戻って、次のデータファイルの再生が始まるか、ディスクが排出されるのを待つ（ステップＳ２３でＹＥＳ、Ｓ２０、Ｓ２４）。
【００２０】
この実施例によれば、制御部１５Ａは、再生対象がＣＤ−ＤＡ等の音声記録光ディスクか、またはデータディスク中の音声データファイルのとき、停車中か否かに拘わらず、本体表示部１３を通常表示状態とし、再生データに付属するトラックナンバまたはファイルナンバと、演奏経過時間を本体表示部１３に表示させる。一方、再生対象がＤＶＤビデオ、ビデオＣＤ、ＤＶＤオーディオ等の映像記録光ディスクか、またはデータディスク中のＪＰＥＧ、ＭＰＥＧ、ＷＭＶ、ＡＶＩ等の映像データファイルのとき、停車中であれば本体表示部１３を通常表示状態とし、再生データに付属したタイムコード等を表示させるとともに映像出力ミュートをオフして再生映像をモニタ表示させ、停車中でなければ本体表示部１３に「モニタＯＦＦ中」を表示させ、映像出力ミュートをオンし、モニタ表示を停止させる。
ＣＤ−ＤＡ等の音声記録光ディスクを再生するとき、ＭＰ３、ＷＭＡ、ＭＰＥＧ４オーディオ等の音声データファイルだけ記録されたデータディスクを再生するとき、音声データファイルとＪＰＥＧ、ＭＰＥＧ、ＷＭＶ、ＡＶＩ等の映像データファイルが混在するデータディスク中の音声データファイルを再生するとき、停車中か否かに拘わらず再生データに付属するファイルナンバと、演奏経過時間が本体表示部１３に表示されるので、ユーザは音声データ再生時に有効な情報を視認でき便利であり、また停車中でないときでも映像を強制的にオフしている旨のメッセージは本体表示部１３に表示されないので、モニタ装置を使用せず音声データだけ楽しむユーザが不必要な情報表示に煩わしさを感じることもない。
一方、ＤＶＤビデオ、ビデオＣＤ、ＤＶＤオーディオ等の映像記録光ディスクを再生するときとＪＰＥＧ、ＭＰＥＧ、ＷＭＶ、ＡＶＩ等の映像データファイルだけ記録されたデータディスクを再生するとき、音声データファイルと映像データファイルが混在するデータディスク中の映像データを再生するとき、停車中でなければ映像出力にミュートを掛け、本体表示部１３に映像表示を強制的にオフしている旨表示されるので、ユーザはモニタ表示がオフしている理由を容易に知ることが出来る。
【産業上の利用可能性】
【００２１】
本発明は、車載用マルチディスクプレーヤ、車載用オーディオ機器、車載用ＡＶ機器に適用できる。
【図面の簡単な説明】
【００２２】
【図１】従来の車載用ＡＶプレーヤの構成を示すブロック図である。
【図２】図１中の制御部による表示・ミュート制御処理を示すフローチャートである。
【図３】図１中の本体表示部の表示例を示す説明図である。
【図４】本発明に係る車載用ＡＶプレーヤの構成を示すブロック図である（実施例１）。
【図５】図４中の制御部による表示制御とミュート制御処理を示すフローチャートである。
【図６】図４中の制御部による表示制御とミュート制御処理を示すフローチャートである。
【符号の説明】
【００２３】
１Ａ  車載用ＡＶプレーヤ本体
１０Ａ  ディスク再生部
１３  本体表示部
１４  ミュート部
１５Ａ  制御部
【図１】
0004811652.tif 000002
【図２】
0004811652.tif 000003
【図３】
0004811652.tif 000004
【図４】
0004811652.tif 000005
【図５】
0004811652.tif 000006
【図６】
0004811652.tif 000007